(57)【要約】【課題】ミニマムフロー管を流下する液体の冷却効率を高めること。【解決手段】ポンプ装置１は、ポンプ１１と、ポンプ１１に連結され、ポンプ１１を駆動するモータ１２と、吐出管１９（ポンプ１１の吐出口１７側）と吸込管１８（ポンプの吸込口１６側）とを連通し、ポンプ１１から吐出された液体の一部を吐出管１９から吸込管１８に向けて流通させるミニマムフロー管１３と、モータ１２の力によって回転する回転軸２４に固定され、空気をミニマムフロー管１３に向けて送り込むミニマムフロー管冷却ファン１５とを備える。【選択図】図１
2019070348.tif 000002
【特許請求の範囲】
【請求項１】
ポンプと、
前記ポンプに連結され、前記ポンプを駆動するモータと、
前記ポンプの吐出口側と吸込口側とを連通し、前記ポンプから吐出された液体の一部を前記吐出口側から前記吸込口側に向けて流通させるミニマムフロー管と、
前記モータの力によって回転する回転軸に固定され、周囲の空気を前記ミニマムフロー管に向けて送り込むミニマムフロー管冷却ファンとを備えていることを特徴とするポンプ装置。
【請求項２】
請求項１に記載のポンプ装置において、
前記ミニマムフロー管の一部が収容された熱交換器を備え、
前記熱交換器は、前記ミニマムフロー管冷却ファンから送り込まれた前記空気が流入する流入孔と、流入した前記空気が流出する流出孔とを有し、前記流入孔と前記流出孔との間に前記ミニマムフロー管の一部を配することを特徴とするポンプ装置。
【請求項３】
請求項１又は２に記載のポンプ装置において、
前記回転軸に固定され、周囲の空気を前記モータに向けて送り込むモータ冷却ファンを備えていることを特徴とするポンプ装置。
【発明の詳細な説明】
【技術分野】
【０００１】
本願は、液体を移送するポンプ装置に関し、特に過熱防止機構を備えたポンプ装置に関する。
【背景技術】
【０００２】
液体を移送するポンプ装置においては、移送先での液体の需要が減少した場合、ポンプの吐出口と接続した吐出管に設けた開閉弁を閉止し、移送先への液体の移送を停止した状態でポンプの運転を継続する締切運転が行われている。しかしながら、締切運転が長時間継続するとポンプ内で液体が許容温度以上に過熱されるため、ポンプ構成部品が劣化したり焼付いたりする虞がある。そこで、例えば特許文献１に開示されているように、ポンプの吐出口に接続した吐出管とポンプの吸込口に接続した吸込管とを接続するミニマムフロー管を設け、ポンプから吐出された液体の一部を吐出管からミニマムフロー管を介して吸込管に戻すことにより、締切運転時にポンプ内で液体が許容温度以上に過熱されないようにする過熱防止機構を備えたポンプ装置が知られている。
【先行技術文献】
【特許文献】
【０００３】
【特許文献１】特開平５−２７０７４号公報
【発明の概要】
【発明が解決しようとする課題】
【０００４】
ところで、前述のようなポンプ装置においては、ポンプから吐出された液体の一部を吐出管からミニマムフロー管を介して吸込管に戻すだけであるので、ミニマムフロー管を流下する液体の冷却効率が比較的悪いという問題があった。
【０００５】
本願に開示の技術は、かかる事情に鑑みてなされたものであり、その目的は、ミニマムフロー管を流下する液体の冷却効率を高めることができるポンプ装置を提供することにある。
【課題を解決するための手段】
【０００６】
本願のポンプ装置は、ポンプと、前記ポンプに連結され、前記ポンプを駆動するモータと、前記ポンプの吐出口側と吸込口側とを連通し、前記ポンプから吐出された液体の一部を前記吐出口側から前記吸込口側に向けて流通させるミニマムフロー管と、前記モータの力によって回転する回転軸に固定され、周囲の空気を前記ミニマムフロー管に向けて送り込むミニマムフロー管冷却ファンとを備えたものである。
【発明の効果】
【０００７】
本願のポンプ装置によれば、ミニマムフロー管を流下する液体の冷却効率を高めることができる。
【図面の簡単な説明】
【０００８】
【図１】図１は、実施形態に係るポンプ装置の概略構成図である。
【図２】図２は、図１における熱交換器の平面図である。
【発明を実施するための形態】
【０００９】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１０】
図１は、実施形態に係るポンプ装置１の概略構成図である。図２は、図１における熱交換器２３の平面図である。本実施形態のポンプ装置１は、液体を移送するポンプ１１と、ポンプ１１に連結されたモータ１２と、ミニマムフロー管１３と、モータ冷却ファン１４と、ミニマムフロー管冷却ファン１５と、熱交換器２３とを備えている。
【００１１】
ポンプ１１は、移送液体が流入する吸込口１６と、移送液体が流出する吐出口１７とを有する。吸込口１６は、吸込管１８の下流端と接続される。吸込管１８の上流端は、例えば高温のドレンタンク（図示省略）と接続されている。吐出口１７は、吐出管１９の上流端と接続される。吐出管１９の下流端は、移送先である例えばボイラー設備（図示省略）と接続されている。
【００１２】
ポンプ１１は、モータ１２の回転力により駆動されることにより、ドレンタンクのドレンを吸込管１８を介して吸込口１６から吸込み、加圧して吐出口１７から吐出する。これにより、ドレンを吐出管１９を介してボイラー設備に供給する。吐出管１９には、開閉弁２８が設けられる。開閉弁２８は、通常開放状態であるが、ボイラー設備でのドレンの需要が減少した場合に閉止されるものである。開閉弁２８の閉止によりボイラー設備へのドレンの移送が停止された状態でポンプ１１の運転を継続する締切運転が行われる。
【００１３】
ミニマムフロー管１３は、吸込管１８と吐出管１９とを連通し、ポンプ１１から吐出されたドレンの一部を吐出管１９から吸込管１８に向けて流通させる。具体的には、ミニマムフロー管１３の上流端は、吐出管１９における開閉弁２８の上流側で吐出口１７の下流側の近傍に接続されている（ミニマムフロー管１３においては、吐出管１９の側を上流とし、吸込管１８の側を下流とする。）。ミニマムフロー管１３の下流端は、吸込管１８における吸込口１６の上流側の近傍に接続されている。ミニマムフロー管１３は、ポンプ１１の吐出口１７側と吸込口１６側とを連通し、ポンプ１１から吐出されたドレンの一部を吐出口１７側から吸込口１６側に向けて流通させるものである。
【００１４】
ミニマムフロー管１３における上流側には、減圧オリフィス２０が設けられる。減圧オリフィス２０は、ミニマムフロー管１３が高圧の吐出管１９から低圧の吸込管１８に接続されているので、減圧オリフィス２０の下流側を所定の圧力に減圧するものである。ミニマムフロー管１３における下流側には、逆止弁２１が設けられる。逆止弁２１は、ミニマムフロー管１３から吸込管１８へのドレンの流通を許容し、吸込管１８からミニマムフロー管１３へのドレンの流通を阻止するものである。
【００１５】
図１の上下矢印の方向において、モータ１２の上方には、モータ１２側から順に、モータ冷却ファン１４と、ファン送風隔壁２２と、ミニマムフロー管冷却ファン１５と、熱交換器２３とが配置される。モータ冷却ファン１４とミニマムフロー管冷却ファン１５とは、それぞれモータ１２の力によって回転する回転軸２４に固定され、回転軸２４を中心に回転可能である。ファン送風隔壁２２と、熱交換器２３とは、それぞれモータ１２に固定された４つの支持部材２５に固定されている。
【００１６】
モータ冷却ファン１４は、モータ１２の回転軸２４と一体的に回転し、上下矢印の方向において、ファン送風隔壁２２の下方の周囲の空気をモータ１２に向けて送り込む。モータ１２に向けて送り込まれた空気は、モータ１２の内部又は外表面に流れ込むことでモータ１２を冷却する。
【００１７】
熱交換器２３は、上下矢印の方向において、下面に空気が流入する流入孔２６を有し、上面に空気が流出する流出孔２７を有する。流入孔２６と流出孔２７とはそれぞれ、図２では、例えば３つ設けられている。ミニマムフロー管１３の一部は、図２では、複数のＵ字状に曲げられて略水平方向に積層された状態で熱交換器２３内に収容され、上下矢印の方向において、上方の流入孔２６と下方の流出孔２７との間に配されている。しかし、流入孔２６と流出孔２７との間に配されるミニマムフロー管１３の一部はこの形状に限定されるものではない。
【００１８】
ミニマムフロー管冷却ファン１５は、モータ１２の回転軸２４と一体的に回転し、上下矢印の方向において、ファン送風隔壁２２の上方の周囲の空気を熱交換器２３内のミニマムフロー管１３に向けて送り込む。ミニマムフロー管冷却ファン１５から送り込まれた空気は、流入孔２６から熱交換器２３内に流入し、ミニマムフロー管１３の一部の外表面に接触して流れミニマムフロー管１３の一部を冷却した後、流出孔２７から流出する。
【００１９】
このように構成されたポンプ装置１における動作について説明する。ポンプ１１が駆動されると、ドレンタンクのドレンは、吸込管１８を介してポンプ１１の吸込口１６からポンプ１１内に吸込まれ、加圧されて吐出口１７から吐出される。吐出口１７から吐出管１９に吐出されたドレンは、ボイラー設備に供給されるとともに、その一部がミニマムフロー管１３を介して吸込管１８に戻される。
【００２０】
本実施形態のポンプ装置１においては、モータ１２の回転軸２４に固定されたミニマムフロー管冷却ファン１５がミニマムフロー管１３に向けて周囲の空気を送り込む。この場合、ミニマムフロー管１３に向けて送り込まれた空気が、ミニマムフロー管１３を冷却するので、ミニマムフロー管１３を流下するドレンの冷却効率を高めることができる。
【００２１】
また、本実施形態のポンプ装置１においては、ミニマムフロー管１３の一部が収容された熱交換器２３を備え、熱交換器２３は、ミニマムフロー管冷却ファン１５から送り込まれた空気が流入する流入孔２６と、流入した空気が流出する流出孔２７とを有し、流入孔２６と流出孔２７との間にミニマムフロー管１３の一部を配するものである。この場合、流入孔２６から熱交換器２３内に流入した空気が、ミニマムフロー管１３の一部の外表面に接触して流れた後、流出孔２７から流出するので、ミニマムフロー管１３を流下するドレンの冷却効率をさらに高めることができる。
【００２２】
また、本実施形態のポンプ装置１においては、回転軸２４に固定されたモータ冷却ファン１４がモータ１２に向けて周囲の空気を送り込む。この場合、モータ１２に向けて送り込まれた空気が、モータ１２の内部又は外表面に流れ込むことで、モータ１２を冷却するので、モータ１２の熱によりポンプ１１内の液温が上昇することを防止できる。
【００２３】
以上のように、上記実施形態のポンプ装置１は、ポンプ１１と、ポンプ１１に連結され、ポンプ１１を駆動するモータ１２と、吐出管１９（ポンプ１１の吐出口１７側）と吸込管１８（ポンプ１１の吸込口１６側）とを連通し、ポンプ１１から吐出された液体の一部を吐出管１９から吸込管１８に向けて流通させるミニマムフロー管１３と、モータ１２の力によって回転する回転軸２４に固定され、周囲の空気をミニマムフロー管１３に向けて送り込むミニマムフロー管冷却ファン１５とを備えたものである。
【００２４】
上記の構成によれば、ミニマムフロー管１３に向けて送り込まれた空気が、ミニマムフロー管１３を冷却するので、ミニマムフロー管１３を流下するドレンの冷却効率を高めることができる。これにより、締切運転時にポンプ１１内のドレン温度が許容温度以上に上昇することを防止することができる。
【００２５】
また、本実施形態のポンプ装置１は、ミニマムフロー管１３の一部が収容された熱交換器２３を備え、熱交換器２３は、ミニマムフロー管冷却ファン１５から送り込まれた空気が流入する流入孔２６と、流入した空気が流出する流出孔２７とを有し、流入孔２６と流出孔２７との間にミニマムフロー管１３の一部を配するものである。
【００２６】
上記の構成によれば、流入孔２６から熱交換器２３内に流入した空気が、ミニマムフロー管１３の一部の外表面に接触して流れた後、流出孔２７から流出する。これにより、ミニマムフロー管１３を流下するドレンの冷却効率をさらに高めることができる。
【００２７】
また、上記実施形態のポンプ装置１は、回転軸２４に固定され、周囲の空気をモータ１２に向けて送り込むモータ冷却ファン１４を備えているものである。
【００２８】
上記の構成によれば、モータ１２に向けて送り込まれた空気が、モータ１２の内部又は外表面に流れ込むことで、モータ１２を冷却する。これにより、モータ１２の熱によりポンプ１１内の液温が上昇することを防止できる。
【００２９】
（その他の実施形態）
本願に開示の技術は、上記実施形態において以下のような構成としてもよい。例えば、ミニマムフロー管１３の上流端は、ポンプ１１における吐出口１７の上流側の近傍に接続してもよい。また、ミニマムフロー管１３の下流端は、ポンプ１１における吸込口１６の下流側の近傍に接続してもよい。
【産業上の利用可能性】
【００３０】
本願に開示の技術は、過熱防止機構を備えたポンプ装置について有用である。
【符号の説明】
【００３１】
１      ポンプ装置
１１      ポンプ
１２      モータ
１３      ミニマムフロー管
１４      モータ冷却ファン
１５      ミニマムフロー管冷却ファン
２３      熱交換器
２４      回転軸
２６      流入孔
２７      流出孔
【図１】
2019070348.tif 000003
【図２】
2019070348.tif 000004